(57)【特許請求の範囲】
【請求項１】
電力増幅器の２つの出力端子にそれぞれ始端が接続され、これら始端から離れた位置に末端が位置する第１及び第２のスピーカライン間にスピーカが接続されている拡声装置における第１及び第２のスピーカラインの末端で、始端側から供給された交流信号が検出されているとき、第２のスピーカラインの末端と共通電位点との間にインピーダンス素子を接続するインピーダンス接続手段と、
第２のスピーカラインの始端と前記共通電位点との間のインピーダンスが予め定めたインピーダンスであるか否かを判定する第１の判定手段とを、
具備するスピーカライン検査装置。
【請求項２】
請求項１記載のスピーカライン検査装置において、第１の判定手段が、一方の端子が前記共通電位点に接続され、他方の端子が別のインピーダンス素子を介して第２のスピーカラインの始端に接続された直流電源と、前記第２のスピーカラインの始端と前記共通電位点との間の電圧を、前記共通電位点に対して予め定めた基準電圧と比較する比較手段とを、具備するスピーカライン検査装置。
【請求項３】
請求項１記載のスピーカライン検査装置において、第１及び第２のスピーカラインの始端に接続され前記電力増幅器の出力の有無を判定する第２の判定手段が設けられ、第２のスピーカラインと前記共通電位点との間のインピーダンスが予め定めたインピーダンスよりも高いと第１の判定手段が判定し、かつ第２の判定手段が前記電力増幅器の出力有りと判定したとき、第１または第２のスピーカラインが断線と判定し、第２のスピーカラインと前記共通電位点との間のインピーダンスが予め定めたインピーダンスよりも高いと第１の判定手段が判定し、かつ第２の判定手段が前記電力増幅器の出力無しと判定したとき、第１及び第２のスピーカラインが短絡と判定するスピーカライン検査装置。
【請求項４】
請求項１記載のスピーカライン検査装置において、前記インピーダンス接続手段が、第１及び第２のスピーカラインの末端において前記交流信号の有無を検出する検出手段と、この検出手段が前記交流信号を検出したとき、前記インピーダンス素子を第２のスピーカラインの末端と前記共通電位点との間に接続するスイッチング手段とを、具備するスピーカライン検査装置。
【請求項５】
電力増幅器の２つの出力端子にそれぞれ始端が接続され、前記始端から離れた位置に末端が位置する複数系統の第１及び第２のスピーカライン間にそれぞれスピーカが接続される拡声装置における前記複数系統の第１及び第２のスピーカラインの末端で、交流信号が検出されているとき、各系統の第２のスピーカラインの末端と共通電位点との間にインピーダンス素子を接続するインピーダンス接続手段と、
一方の端子が前記共通電位点に接続され、他方の端子が別のインピーダンス素子を介して前記各系統の第２のスピーカラインの始端に接続され、前記各系統の数と同数の異なる周波数の交流信号を順に発生する交流信号源と、
前記各系統の第２のスピーカラインの始端と前記共通電位点との間のインピーダンスを、前記異なる周波数の交流信号ごとに測定し、その測定されたインピーダンスに基づいていずれの系統において断線または短絡が発生しているかを判定する判定手段とを、
具備するスピーカライン検査装置。
【請求項６】
電力増幅器の２つの出力端子にそれぞれ始端が接続された第１及び第２のスピーカラインであって、これらの間にスピーカが接続され、第２のスピーカラインの始端と共通電位点との間のインピーダンスを測定し、そのインピーダンスが予め定めた値よりも大きいか否かを判定する判定手段が第２のスピーカラインと前記共通電位点の間に接続されている第１及び第２のスピーカラインの、前記始端から離れた位置にある末端において、始端側から供給された交流信号の有無を検出する検出手段と、この検出手段が前記交流信号を検出したとき、インピーダンス素子を第２のスピーカラインの末端と前記共通電位点との間に接続するスイッチング手段とを、
具備するスピーカライン検査装置用端末装置。
【発明の詳細な説明】
【技術分野】
【０００１】
本発明は、スピーカラインに断線または短絡が生じていないか検査するスピーカラインの検査装置及びこの検査装置に使用する端末装置に関する。
【背景技術】
【０００２】
スピーカラインは、２本のラインからなり、ビル等の建物において、各部屋等に敷設され、それらの一端にアンプが接続され、各部屋等において両ライン間にスピーカが接続されている。このスピーカラインを検査する検査装置の一例が特許文献１に開示されている。
【０００３】
特許文献１の検査装置では、増幅器の出力トランスが２つの二次巻線を有し、これら２つの二次巻線がコンデンサで直列に接続されている。一方の二次巻線のコンデンサが接続されていない端が第１のスピーカラインを介してスピーカの一方の端子に接続され、他方の二次巻線のコンデンサが接続されていない端が第２のスピーカラインを介してスピーカの他方の端子に接続されている。前記コンデンサの両端間に直流電源と抵抗器とホトカプラとを直列に接続してある。第１及び第２のスピーカラインが共に断線していないと、直流電源からの電流は、抵抗器、一方の二次巻線、第１のスピーカライン、スピーカ、第２のスピーカライン、他方の二次巻線、ホトカプラを介して直流電源に流れ、ホトカプラが動作する。一方、第１及び第２のスピーカラインの一方が断線している場合には、電流は流れず、ホトカプラは動作しない。従って、断線の有無を検出することができる。なお、２つの二次巻線をコンデンサによって直列に接続してあるので、二次巻線にそれぞれ誘起された交流信号がコンデンサによって加算されて、スピーカに供給される。
【０００４】
【特許文献１】特開平６−２４２１７２号公報
【発明の開示】
【発明が解決しようとする課題】
【０００５】
この検査装置では、２つの二次巻線をコンデンサによって接続する必要があり、コストアップとなっていた。特に、第１及び第２のスピーカライン間に複数のスピーカを接続するような場合、各スピーカに直流電流が流れることを防止する必要上、各スピーカとコンデンサとを直列に接続して第１及び第２のスピーカライン間に接続しなければならず、益々コストアップとなる。また、第１及び第２のスピーカラインが短絡した場合、ホトカプラに電流が流れるので、短絡を検出することができない。
【０００６】
本発明は、低価格で、断線だけでなく短絡も検出することができるスピーカラインの検査装置を提供することを目的とする。
【課題を解決するための手段】
【０００７】
本発明の一態様のスピーカライン検査装置では、電力増幅器の２つの出力端子にそれぞれ始端が接続された第１及び第２のスピーカライン間にスピーカが接続される。複数のスピーカが第１及び第２のスピーカライン間に接続されることがある。第１及び第２のスピーカラインの始端から離れて位置する末端で交流信号が検出されたとき、インピーダンス接続手段が第２のスピーカラインの末端と共通電位点との間に所定のインピーダンスを持つインピーダンス素子を接続する。交流信号としては、例えば非可聴周波数の基準交流信号を使用することができ、この基準交流信号が継続的に第１及び第２のスピーカラインに供給されることがある。この交流信号は、電力増幅器の入力端子に供給することもできるし、第１及び第２のスピーカラインの始端間に供給することもできる。インピーダンス素子としては、例えば抵抗器を単独で使用することもできるし、コンデンサまたはコンデンサと抵抗器とを組み合わせたものやコンデンサ、コイル及び抵抗器を組み合わせたものを使用することもできる。第２のスピーカラインの始端と前記共通電位点との間のインピーダンスが予め定めたインピーダンスであるか否かを第１の判定手段が判定する。
【０００８】
このように構成したスピーカライン検査装置では、第１及び第２のスピーカラインに断線や短絡が生じていない場合、交流信号が第１及び第２のスピーカラインの末端まで伝送され、インピーダンス接続手段によって検出される。その結果、インピーダンス素子が第２のスピーカラインと共通電位点との間に接続される。第１若しくは第２のスピーカラインに断線が、または第１及び第２のスピーカライン間に短絡が生じていると、交流信号は第１及び第２のスピーカラインの末端において検出されず、インピーダンス素子は第２のスピーカラインと共通電位点との間には接続されない。従って、第１の判定手段が、第２のスピーカラインの始端と共通電位点とのインピーダンスを測定し、そのインピーダンスが予め定めたインピーダンスよりも大きければ、第１及び第２のスピーカライン間に短絡がまたは第１若しくは第２のスピーカラインに断線が生じていると判定できる。この構成では、第２のスピーカラインと共通電位点との間のインピーダンスを測定しており、第１及び第２のスピーカライン間でインピーダンスを測定していない。従って、インピーダンス測定のために直流電流を第１及び第２のスピーカラインに流す必要がなく、スピーカとコンデンサとを直列に接続して、第１及び第２のスピーカライン間に接続する必要はなく、コストの低減を図ることができる。しかも、断線のみではなく、短絡も検出することができる。
【０００９】
第１の判定手段は、直流電源を有することがある。この直流電源の一方の端子が前記共通電位点に接続され、他方の電極が別のインピーダンス素子を介して第２のスピーカラインの始端に接続されている。第２のスピーカラインの始端と前記共通電位点との間の電圧を、比較手段が前記共通電位点に対して予め定めた基準電圧と比較する。
【００１０】
第２のスピーカラインと共通電位点との間にインピーダンス素子が接続されている場合、第２のスピーカラインの始端と共通電位点との間の電圧は予め定めた電圧となる。第２のスピーカラインと共通電位点との間にインピーダンス素子が接続されていない場合、第２のスピーカラインの始端と共通電位点との間の電圧は、予め定めた電圧よりも大きくなる。従って、第２のスピーカラインの始端と共通電位点との間の電圧を予め定めた電圧と比較することによって、インピーダンス素子が第２のスピーカラインと共通電位点との間に接続されているか否かが判明し、結果的に第１若しくは第２のスピーカラインに断線が生じていないか、第１及び第２のスピーカライン間に短絡が生じていないか判定することができる。この場合も、上述したように、直流電源からの電流は、第２のスピーカラインと共通電位点との間を流れ、第１及び第２のスピーカラインに流れることはなく、スピーカとコンデンサとの直列回路を第１及び第２のスピーカライン間に接続する必要はない。
【００１１】
更に、第１及び第２のスピーカラインの始端に第２の判定手段を設けることができる。この場合、第２の判定手段は、電力増幅器の出力電圧を判定する。第１の判定手段が第２のスピーカラインと前記共通電位点との間のインピーダンスが予め定めたインピーダンスよりも高いと判定し、かつ第２の判定手段が前記電力増幅器の出力電圧有りと判定したとき、第１または第２のスピーカラインが断線と判定し、第１の判定手段が第２のスピーカラインと前記共通電位点との間のインピーダンスが予め定めたインピーダンスよりも高いと判定し、かつ第２の判定手段が前記電力増幅器の出力電圧無しと判定したとき、第１及び第２のスピーカラインが短絡と判定する。この判定は、例えば第１及び第２の判定手段の判定結果が供給される第３の判定手段を用いて行うこともできるし、或いは、第１の判定手段が第２のスピーカラインと前記共通電位点との間のインピーダンスが予め定めたインピーダンスよりも高いと判定したときのみ、第２の判定手段が判定を行うように第１の判定手段によって第２の判定手段を制御してもよい。即ち、第１及び第２のスピーカラインにおいて短絡または断線が生じているときに、第２の判定手段で電力増幅器の出力の有無を検出し、出力有りの場合、断線と判断し、出力なしの場合、短絡と判定する。
【００１２】
第１または第２のスピーカラインに断線が生じている場合、電力増幅器の出力は発生するが、第１及び第２のスピーカライン間で短絡が発生している場合、電力増幅器の出力電圧は発生しない。従って、第１の判定手段と第２の判定手段とを組み合わせることによって、断線が発生しているのか、短絡が発生しているのかを判定することができる。
【００１３】
なお、電力増幅器にモニター出力電圧を発生するモニター端子が設けられている場合、このモニター電圧の有無を検出する第４の判定手段を設け、第１、第２及び第４の判定手段の判定結果を組み合わせて、（１）第４の判定手段がモニター出力電圧有りと判定し、第１の判定手段が第２のスピーカラインと前記共通電位点との間のインピーダンスが予め定めたインピーダンスよりも高いと判定し、かつ第２の判定手段が前記電力増幅器の出力電圧有りと判定したとき、第１または第２のスピーカラインが断線と判定し、（２）第４の判定手段がモニター出力電圧有りと判定し、第１の判定手段が第２のスピーカラインと前記共通電位点との間のインピーダンスが予め定めたインピーダンスよりも高いと判定し、かつ第２の判定手段が前記電力増幅器の出力電圧無しと判定したとき、第１及び第２のスピーカラインが短絡と判定し、（３）第４の判定手段がモニター出力電圧無しと判定し、第１の判定手段が第２のスピーカラインと前記共通電位点との間のインピーダンスが予め定めたインピーダンスよりも高いと判定し、かつ第２の判定手段が前記電力増幅器の出力電圧無しと判定したとき、電力増幅器の故障と判断することもできる。この場合、第１、第２及び第４の判定手段の判定結果を第３の判定手段に供給し、第３の判定手段が上記（１）乃至（３）の判定を行うように第３の判定手段を構成することもできる。
【００１４】
前記インピーダンス接続手段は、或る実施形態では、第１及び第２のスピーカラインの末端において前記交流信号の有無を検出する検出手段と、この検出手段が前記交流信号を検出したとき、前記インピーダンス素子を第２のスピーカラインの末端と前記共通電位点との間に接続するスイッチング手段とを、具備するものとすることができる。検出手段としては、例えば交流信号を整流平滑する整流平滑手段を使用することができる。この場合、整流平滑手段の出力が予め定めた基準値よりも大きいとき、スイッチング手段を閉じる制御手段を設ける。
【００１５】
本発明の別の態様のスピーカラインの検査装置では、電力増幅器の２つの出力端子にそれぞれ始端が接続され、かつスピーカが接続される複数系統の第１及び第２のスピーカラインの始端から離れて位置する末端で交流信号が検出されているとき、各系統に設けられたインピーダンス接続手段が、各系統の第２のスピーカラインの末端と共通電位点との間にインピーダンス素子を接続する。交流信号源の一方の端子が前記共通電位点に接続され、他方の端子が別のインピーダンス素子を介して前記各系統の第２のスピーカラインの始端に接続されている。この交流信号源は、前記各系統の数と同数の異なる周波数の交流信号を順に発生する。判定手段は、前記各系統の第２のスピーカラインの始端と前記共通電位点との間のインピーダンスを、前記異なる周波数の交流信号ごとに測定し、その測定されたインピーダンスに基づいていずれの系統において断線または短絡が発生しているかを判定する。
【００１６】
この態様では、断線または短絡が発生していない系統の第２のスピーカラインと共通電位点との間にインピーダンス素子が接続される。そして、交流信号源が異なる周波数の交流信号を発生すると、これらインピーダンス素子が示すインピーダンスの値は変化する。各周波数ごとにインピーダンスを測定することによって、どの系統において断線または短絡が発生しているかが判明する。
【００１７】
本発明の他の態様のスピーカライン検査装置用端末装置は、第１及び第２のスピーカラインの末端において、交流信号の有無を検出する検出手段を有している。第１及び第２のスピーカラインは、電力増幅器の２つの出力端子にそれぞれ始端が接続され、これらの間にスピーカが接続されている。さらに、第２のスピーカラインの始端と共通電位点との間のインピーダンスを直流的に測定し、そのインピーダンスが予め定めた値よりも大きいか否かを判定する判定手段が第２のスピーカラインと前記共通電位点の間に接続されている。この検出手段が前記交流信号を検出したとき、予め定めたインピーダンスを持つインピーダンス素子を、第２のスピーカラインの始端から離れた位置にある末端と前記共通電位点との間にスイッチング手段が接続する。
【００１８】
この端末装置を、第１及び第２のスピーカラインの端末に設けると、第２のスピーカラインの始端と基準電位点との間でインピーダンスを測定することによって、第１及び第２のスピーカライン間の短絡または第１若しくは第２のスピーカラインの断線を検出することができる。
【発明の効果】
【００１９】
以上のように、本発明によれば、スピーカラインの断線又は短絡を検出することができる上に、この検出のために直流信号を２つのスピーカラインに流す必要がなく、そのためスピーカに直列にコンデンサを接続した上でスピーカライン間に接続する必要が無く、コストの上昇を防ぐことができるし、また、スピーカラインに流した直流信号を判定用の装置まで伝送するためのラインをスピーカラインの端末から判定用の装置まで敷設する必要も無く、コストの低減及び敷設工事の簡略化を図ることができる。
【発明を実施するための最良の形態】
【００２０】
本発明の１実施形態のスピーカライン検査装置は、図１に示すような拡声装置と共に使用されている。拡声装置は、電力増幅器２を有し、これには音源、例えばマイクロホン４からの可聴周波数信号、例えば音声信号が供給されている。この音声信号は、電力増幅器２の電力増幅段３で増幅され、その出力側に設けられている出力トランス６の一次巻線６ｐに供給されている。出力トランス６は、２つの二次巻線６ｓ１及び６ｓ２を有し、二次巻線６ｓ１が出力用であり、二次巻線６ｓ２がモニタ用である。二次巻線６ｓ１の両端は、検査装置の判定装置８に一旦引き込まれ、第１及び第２のスピーカライン、例えばホットライン１０とコールドライン１２との始端に接続されている。ホットライン１０及びコールドライン１２は、例えばビル等の建物において、電力増幅器２が設置されている場所から建物内の様々な場所を通るように敷設されている。そして、各場所においてホットライン１０及びコールドライン１２との間にスピーカ１４、１４・・・が接続されている。
【００２１】
判定装置８は、ホットライン１０及びコールドライン１２の検査に使用する交流信号を発生する交流信号源として第１検査信号源１６を有している。第１検査信号源１６は、第１検査信号として非可聴周波数、例えば４０Ｈｚの信号を発生する。第１検査信号源は、第１検査信号を継続して発生している。この第１検査信号は、混合手段、例えばミキサ１８によって音声信号とミキシングされて、電力増幅器２に供給され、ここで増幅され、ホットライン１０、各スピーカ１４、コールドライン１２を流れる。
【００２２】
判定装置８と共に検査装置を構成する端末装置２０が、ホットライン１０およびコールドライン１２の端末に設けられている。この端末装置２０は、インピーダンス素子、例えば予め定めたインピーダンス値、具体的には４７０ｋΩの抵抗値を持つ抵抗器２２と、これに直列に接続されたスイッチング素子、例えば常開スイッチング素子２４との直列回路を有している。この直列回路の一端は、ホットライン１０及びコールドライン１２のうちの一方、例えばコールドライン１２の端末に接続されている。この直列回路の他端は、共通電位点、例えば接地電位点に接続されている。ホットライン１０及びコールドライン１２の端末に検出部２６が接続されており、この検出部２６において第１検査信号が検出されたとき、検出部２６がスイッチング素子２４を閉じて、コールドライン１２と接地電位点との間に抵抗器２２を接続する。
【００２３】
検出部２６は、例えば図２に示すように、ホットライン１０及びコールドライン１２の端末に入力側が接続された整流回路２８を有し、その整流回路２８の出力が平滑コンデンサ３０によって平滑される。この平滑コンデンサ３０の正極側が、比較器として機能するトランジスタ３２のコレクタに接続され、そのエミッタが抵抗器３４の一端に接続されている。抵抗器３４の他端は、スイッチング素子２４として機能するホトＭＯＳリレーのホトダイオード２４ａのアノードに接続され、カソードが平滑コンデンサ３０の負極に接続されている。トランジスタ３２のベースには、基準電源として機能するツエナーダイオード３６のカソードが接続され、アノードが平滑用コンデンサ３０の負極に接続されている。ツエナーダイオード３６と並列にコンデンサ３８が接続され、抵抗器４０がトランジスタ３２のコレクタ・ベース間に接続されている。
【００２４】
この構成では、ホットライン１０及びコールドライン１２の間に継続して第１検査信号が供給され、平滑コンデンサ３０の両端間に所定の電圧が発生し、これがツエナーダイオード３６によって設定された基準電圧よりも大きくなると、トランジスタ３２が導通し、ホトダイオード２４ａが発光し、それに伴いホトＭＯＳリレー２４の光電ＭＯＳトランジスタ２４ｂが導通し、抵抗器２２をコールドライン１２の端末と接地電位点との間に接続する。
【００２５】
一方、ホットライン１０若しくはコールドライン１２の断線が生じている場合、整流回路２８の入力側には第１検査信号が供給されず、平滑コンデンサ３０の両端間には所定の電圧は発生しない。ホットライン１０及びコールドライン１２が短絡している場合も同様である。従って、抵抗器２２はコールドライン１２の端末と接地電位点との間には接続されない。
【００２６】
従って、判定装置８において、コールドライン１２の始端と接地電位点との間のインピーダンスを測定し、その値が抵抗器２２の値に近い値であれば、ホットライン１０及びコールドライン１２には断線は生じてなく、かつホットライン１０及びコールドライン１２の間に短絡も発生していないと判る。逆に、コールドライン１２の始端と接地電位点との間のインピーダンスが、抵抗器２２の抵抗値よりもかなり大きい値であれば、ホットライン１０若しくはコールドライン１２に断線が生じているか、ホットライン１０、コールドライン１２間に短絡が生じていると判る。
【００２７】
そこで、負極が接地電位点に接続されている直流電源４２の正極に、コールドライン１２の始端を抵抗器４４を介して接続してある。更に、コールドライン１２の始端を比較手段、例えば比較器４６に直流検出用フィルタ４７を介して接続してある。この比較器４６には、基準電源４８から基準電圧が供給されている。基準電圧は、コールドライン１２と基準電位点との間に抵抗器２２が接続されている際に、コールドライン１２と基準電位点との間に発生する電圧よりも幾分高い電圧に設定されている。この比較器４６はコールドライン１２と基準電位点との間の電圧が、基準電圧よりも低いときに正常信号を、基準電圧よりも高いときに異常信号を出力するように構成されている。このように直流電源４２と比較器４６と基準電源４８とによって第１の判定手段が構成され、比較器４６が正常信号を出力するか、異常信号を出力するかによって、ホットライン１０、コールドライン１２の短絡または断線が発生している否かを判定できる。
【００２８】
もし、ホットライン１０及びコールドライン１２の末端まで第１検査信号が伝送された否かを第１検査信号自体を検出する方法によって、ホットライン１０、コールドライン１２の断線の有無を、その末端から離れた位置にある判定装置８で検出しようとすると、ホットライン１０及びコールドライン１２の末端から判定装置まで第１検査信号を伝送するリターンラインを敷設しなければならない。しかし、この検査装置では、そのようなリターンラインの敷設は不要である。また、上述した従来技術のように直流電流をホットライン１０及びコールドライン１２に流し、その電流を判定装置８で検出しようとすると、ホットライン１０、１２の末端に抵抗器を接続した上で、各スピーカ１４には直列にコンデンサをそれぞれ接続する必要がある。しかし、この検査装置では、このようなコンデンサはまったく不要である。また、この検査に使用している第１検査信号は、非可聴周波数のものであるので、第１検査信号を常にホットライン１０及びコールドライン１２に供給していても、マイクロホン４による放送に障害を与えない。従って、常に短絡または断線が生じていないか検査することができる。
【００２９】
ところでコールドライン１２が何らかの原因で接地電位点に接続されると、即ち地絡されることがある。この地絡が生じているか否かを検出するために、次のような構成も採用されている。コールドライン１２の始端を直流検出用フィルタ４７を介して比較手段、例えば比較器５４に接続してある。この比較器５４には、基準電源５６から基準電圧が供給されている。基準電圧は、コールドライン１２と基準電位点との間に抵抗器２２が接続されている際に、コールドライン１２と基準電位点との間に発生する電圧よりも低く、地絡が生じている場合に発生すると予測される最高電圧に設定されている。この比較器５４はコールドライン１２と基準電位点との間の電圧が、基準電圧よりも低いときに地絡信号を、基準電圧よりも高いときに正常信号を出力するように構成されている。
【００３０】
ところで、第１の判定手段での判定では、断線及び短絡のいずれかが発生していることは判明するが、いずれが発生しているかは判明しない。そこで、第２の判定手段による判定結果と第１の判定手段での判定結果とが組み合わされている。
【００３１】
第２の判定手段で使用するために、判定装置８は、第２検査信号源５８を有している。第２検査信号源５８は、第２検査信号として非可聴周波数、例えば２０ＫＨｚの信号を発生する。第２検査信号の周波数は、第１検査信号の周波数と異なった周波数とされている。第２検査信号は、ミキサ１８に供給されている。この第２検査信号を検出するために、ホットライン１０及びコールドライン１２の始端が判定装置８に引き込まれ、第２判定手段、例えば検知回路６２に供給されている。この検知回路６２としては種々のものを使用できるが、例えばホットライン１０及びコールドライン１２間の電圧を測定して、その電圧を予め定めた基準電圧と比較し、基準電圧よりも測定電圧が大きいとき断線若しくは正常検出信号を出力し、測定電圧が基準電圧よりも小さいとき短絡検出信号を出力するものを使用することができる。
【００３２】
第１の判定手段では、上述したように正常であるか、断線若しくは短絡が発生していることしか検出できない。一方、第２の判定手段では、断線若しくは正常であるか、または短絡であるかしか判定できない。そこで、両者を組み合わせて、第１の判定手段の比較器４６が異常信号を発生し、かつ第２の判定手段である検知回路６２が正常若しくは断線検出信号を発生したとき、ホットライン１０またはコールドライン１２が断線していると判定する。また、第１の判定手段の比較器４６が異常信号を発生し、かつ第２の判定手段である検知回路６２が短絡検出信号を発生したとき、ホットライン１０及びコールドライン１２が短絡していると判定する。
【００３３】
ところで、ホットライン１０及びコールドライン１２の短絡以外にも、第１の判定手段の比較器４６が異常信号を発生し、かつ第２の判定手段である検知回路６２が短絡検出信号を発生することがある。それは、電力増幅器２が故障し、出力を発生していない場合である。そこで、電力増幅器２の出力トランス６のモニタ用の二次巻線６ｓ２の出力が判定装置８に引き込まれ、検知回路６４に供給されている。この検知回路６４も検知回路６２と同様に構成されている。測定インピーダンスが基準インピーダンスよりも小さいとき、電力増幅器２が出力を発生していないと判断して、故障信号を発生する。測定インピーダンスが基準インピーダンスよりも大きいとき、電力増幅器２が正常に動作していると判断して、正常信号を発生する。ホットライン１０及びコールドライン１２が短絡し、二次巻線６ｓ１間に出力が生じていない場合でも、電力増幅器２が正常である限り、モニタ用の二次巻線６ｓ２間には出力が発生している。従って検知回路６４によって電力増幅器２の正常及び故障を判定できる。
【００３４】
この検知回路６４が正常信号を発生し、第１の判定手段の比較器４６が異常信号を発生し、かつ第２の判定手段である検知回路６２が短絡検出信号を発生すると、ホットライン１０及びコールドライン１２の短絡と判定する。検知回路６４が異常信号を発生し、第１の判定手段の比較器４６が異常信号を発生し、かつ第２の判定手段である検知回路６２が短絡検出信号を発生すると、電力増幅器２の故障と判定する。
【００３５】
このような判定を行うために、比較器４６の異常または正常信号、検知回路６２の正常若しくは断線検出信号検出または短絡検出信号、検知回路６４の正常または故障信号が、第３の判定手段、例えば論理回路６６に供給され、上述したような論理判定を行う。
【００３６】
なお、図３に示すように、検知回路６２の入力側にスイッチ素子６６ａ、６６ｂを設け、これらスイッチング素子６６ａ、６６ｂが閉じられているとき、検知回路６２の入力側にホットライン１０及びコールドライン１２を接続するように構成し、スイッチ素子６６ａ、６６ｂを、第１の判定手段の比較器６４が異常信号を発生したときに閉じるように構成すれば、ホットライン１０及びコールドライン１２が正常なときには、検知回路６２は、ホットライン１０及びコールドライン１２に接続されない。従って、検知回路６２は、ホットライン１０及びコールドライン１２が断線しているときのみに断線若しくは正常検知信号を発生し、検知回路６２によってホットライン１０及びコールドライン１２に断線若しくは短絡が発生していることを検知できる。なお、この場合、検知回路６４は単独で使用して、検知回路６４が故障信号を発生した場合、電力増幅器２が故障と判断する。
【００３７】
また、図４に示すように増幅器２、ホットライン１０ａ、コールドライン１２ａ、スピーカ１４ａ、１４ａ・・・によって拡声装置が構成されており、ホットライン１０ａ、コールドライン１２ａに短絡または断線が生じていないか検査するために、ホットライン１０ａ、コールドライン１２ａの末端が検知回路６２にリターンライン６６ａ、６６ｂによって接続されている状態において、ホットライン１０ｂ、コールドライン１２ｂ、スピーカ１４ｂ、１４ｂ・・・を増設することがある。この場合、検知回路６２によって増設されたホットライン１０ｂ、コールドライン１２ｂについても短絡または断線の検査を行えるようにしようとすると、一点鎖線で示すように、リターンライン６６ａ、６６ｂをホットライン１０ｂ、コールドライン１２ｂの末端に接続するようにリターンライン６６ａ、６６ｂの敷設のやり直しが必要になる。しかし、ビル等において、リターンライン６６ａ、６６ｂの敷設のやり直しは非常に面倒である。
【００３８】
そこで、このようなリターンライン６６ａ、６６ｂの敷設のやり直しを不要にするために、ホットライン１０ｂ、コールドライン１２ｂの端末に端末装置２０を設け、判定装置８ａ内に、第１の判定手段を構成する直流電源４２、抵抗器４４、比較器４６、基準電源４８等を設けることによって、ホットライン１０ｂ、コールドライン１２ｂの短絡もしくは断線を検出することができる。
【００３９】
また、図５に示すように、増幅器２の出力を複数の系統、例えば２系統に分配して供給することがある。この場合、一方の系統は、ホットライン１０ｃ、コールドライン１２ｃ、スピーカ１４ｃ、１４ｃ・・・によって構成され、他方の系統は、ホットライン１０ｄ、コールドライン１２ｄ、スピーカ１４ｄ、１４ｄ・・・によって構成されている。このように複数の系統に分配する場合、各系統の端末に上述した端末装置２０と同一の構成の端末装置２０ｃ、２０ｄを設け、上述した判定装置８を使用した場合には、２つの系統のいずれかで短絡または断線が生じていることは判るが、いずれの系統において短絡または断線が発生しているかは判らない。
【００４０】
そこで、図５の態様では、判定装置８ｃにおいて、直流電源４２に代えて、検査信号源として交流信号源４２ｃを使用している。この交流信号源４２ｃは、異なる周波数の非可聴周波数、例えばｆ１、ｆ２のうちいずれか選択された周波数の交流信号を発生する。また、端末装置２０ｃでは、インピーダンス素子２２ｃが例えば周波数ｆ１において予め定めたインピーダンス、例えば共振インピーダンスＺ１を示し、周波数ｆ２において予め定めたインピーダンスＺ２（Ｚ１＜Ｚ２）を示すように構成されている。同様に、端末装置２０ｄは、インピーダンス素子２２ｄが例えば周波数ｆ１においてあらかじめ定めたインピーダンスＺ２を示し、周波数ｆ２において予め定めたインピーダンス、例えば共振インピーダンスＺ１（Ｚ１＜Ｚ２）を示すように構成されている。インピーダンス素子２２ｃ、２２ｄは、例えば抵抗器とコンデンサの直列回路、抵抗器とコイルの直列回路、抵抗器とコンデンサとコイルの直列回路、またはコンデンサとコイルの直列回路によって構成することができる。
【００４１】
コールドライン１２ｃ、１２ｄの始端と抵抗器４４との接続点は、検査信号抽出手段、例えばバンドパスフィルタ４７ｃに接続されている。このバンドパスフィルタ４７ｃは、その通過帯域に周波数ｆ１を含む状態と、周波数ｆ２を含む状態とに、通過帯域を切り換えられるように構成されている。このバンドパスフィルタ４７ｃの出力レベルは、レベル検出回路７０で検出され、比較器４８に供給される。比較器４８には基準電圧源４８から基準電圧が供給されている。
【００４２】
この基準電圧は、インピーダンス素子２２ｃ、２２ｄが共に基準電位点に接続されている状態で、周波数ｆ１の交流信号が供給されているとき、及び周波数ｆ２の交流信号が供給されているとき、即ち、第２のスピーカライン１２ｃ、１２ｄの始端からこれらの端末側を見たインピーダンスがＺ１とＺ２の並列インピーダンス値のとき、レベル検出回路７０の出力電圧が基準電圧よりも低くなるように設定されている。
【００４３】
さらに、この基準電圧は、インピーダンス素子２２ｃが基準電位点に接続され、インピーダンス素子２２ｄが基準電位点に接続されていない状態で、周波数ｆ１の交流信号が供給されているとき、即ち、第２のスピーカライン１２ｃ、１２ｄの始端からこれらの端末側を見たインピーダンスがインピーダンス素子２２ｃのインピーダンスＺ１のとき、レベル検出回路７０の出力が基準電圧よりも小さく、かつ周波数ｆ２の交流信号が供給されているとき、即ち、第２のスピーカライン１２ｃ、１２ｄの始端からこれらの端末側を見たインピーダンスがインピーダンス素子２２ｃのインピーダンスＺ２のとき、レベル検出回路７０の出力が基準電圧よりも大きくなるように設定されている。
【００４４】
また、基準電圧は、インピーダンス素子２２ｃが基準電位点に接続されず、インピーダンス素子２２ｄが基準電位点に接続されている状態で、周波数ｆ１の交流信号が供給されているとき、即ち、第２のスピーカライン１２ｃ、１２ｄの始端からこれらの端末側を見たインピーダンスがインピーダンス素子２２ｄのインピーダンスＺ２のとき、レベル検出回路７０の出力が基準電圧よりも大きく、かつ周波数ｆ２の交流信号が供給されているとき、即ち、第２のスピーカライン１２ｃ、１２ｄの始端からこれらの端末側を見たインピーダンスがインピーダンス素子２２ｄのインピーダンスＺ１のとき、レベル検出回路７０の出力が基準電圧よりも小さくなるように設定されている。
【００４５】
また、インピーダンス素子２２ｃ、２２ｄが共に接地電位点に接続されていない状態で、周波数ｆ１、ｆ２いずれの交流信号が供給されているときでも、即ち、第２のスピーカライン１２ｃ、１２ｄの始端からこれらの端末側を見たインピーダンスが無限大のとき、レベル検出回路７０の出力電圧が基準電圧よりも大きくなるようにも、基準電圧は設定されている。
【００４６】
比較器４８は、レベル検出回路７０の出力が基準電圧よりも大きいと大信号を、小さいと小信号を出力する。この出力は、制御部７２に供給されている。制御部７２は、交流信号源４２ｃとバンドパスフィルタ４７ｃの制御も行い、交流信号源５２ｃが周波数ｆ１の交流信号を発生しているとき、バンドパスフィルタ４７ｃが周波数ｆ１の交流信号を通過させるように、交流信号源５２ｃが周波数ｆ２の交流信号を発生しているとき、バンドパスフィルタ４７ｃが周波数ｆ２の交流信号を通過させる。
【００４７】
この構成では、ホットライン１０ｃ、１０ｄ、コールドライン１２ｃ、１２ｄが共に正常な場合、インピーダンス素子２２ｃ、２２ｄが接地電位点に接続される。このとき、周波数ｆ１、ｆ２いずれの信号が供給されたときでも、第２のスピーカライン１２ｃ、１２ｄの始端からこれらの端末側を見たインピーダンスは、Ｚ１とＺ２の並列インピーダンスである。従って、比較器４８は、いずれの場合でも、小信号を制御部７２に供給し、制御部７２は、両系統正常と判定する。
【００４８】
ホットライン１０ｃ、コールドライン１２ｃが正常で、ホットライン１０ｄ、コールドライン１２ｄが断線または短絡しているとき、交流信号ｆ１が供給されると、第２のスピーカライン１２ｃ、１２ｄの始端からこれらの端末側を見たインピーダンスは、インピーダンス素子２２ｃのインピーダンスＺ１であり、比較器４８は小信号を発生し、交流信号ｆ２が供給されると、第２のスピーカライン１２ｃ、１２ｄの始端からこれらの端末側を見たインピーダンスは、インピーダンス素子２２ｃのインピーダンスＺ２であり、比較器４８は大信号を発生する。従って、制御部７２は、ホットライン１０ｄ、コールドライン１２ｄに断線または短絡が発生していると判定する。
【００４９】
ホットライン１０ｃ、コールドライン１２ｃが断線または短絡し、ホットライン１０ｄ、コールドライン１２ｄが正常のとき、交流信号ｆ１が供給されると、第２のスピーカライン１２ｃ、１２ｄの始端からこれらの端末側を見たインピーダンスは、インピーダンス素子２２ｄのインピーダンスＺ２であり、比較器４８は大信号を発生し、交流信号ｆ２が供給されると、第２のスピーカライン１２ｃ、１２ｄの始端からこれらの端末側を見たインピーダンスは、インピーダンス素子２２ｄのインピーダンスＺ１であり、比較器４８は小信号を発生する。従って、制御部７２は、ホットライン１０ｃ、コールドライン１２ｃに断線または短絡が発生していると判定する。
【００５０】
ホットライン１０ｃ、１０ｄ、コールドライン１０ｄ、１２ｄの両系統に断線または短絡が発生しているとき、交流信号ｆ１が供給されると、第２のスピーカライン１２ｃ、１２ｄの始端からこれらの端末側を見たインピーダンスは無限大で、比較器４８は大信号を発生する。この状態で、交流信号ｆ２が供給されると、第２のスピーカライン１２ｃ、１２ｄの始端からこれらの端末側を見たインピーダンスは無限大で、比較器４８は大信号を発生する。従って、制御部７２は、両系統とも断線または短絡と判定する。
【００５１】
このように制御部７２、比較器４６、バンドパスフィルタ４７ｃ、レベル検出回路７０によって判定手段が構成されている。なお、この例では、２系統のスピーカラインの例を示したが、更に多くの系統のスピーカラインを接続することもできる。ただし、その場合、各系統の数に対応した異なる周波数の交流信号を交流信号源４２ｃが発生し、その周波数ごとに別々の系統のインピーダンス素子のインピーダンスが予め定めたインピーダンス、例えば共振インピーダンスを示すように構成し、異なる周波数においてレベル検出回路７０の出力を適切な基準電圧と比較する。
【００５２】
上記の各実施の形態では、第１の判定手段は、直流電源４２、抵抗器４４、比較器４６、直流検出用フィルタ４７、基準電源４８等で構成し、判定手段は、制御部７２、比較器４６、バンドパスフィルタ４７ｃ、レベル検出回路７０等で構成したが、検知回路６２、６４と同様に、コールドラインと基準電位点との間の電圧を測定し、その電圧と基準電圧とを比較する構成を採用することもできるし、コールドラインと基準電位点との間の電圧及びコールドラインを流れる電流を測定し、その測定値からインピーダンスを求め、このインピーダンスを基準となるインピーダンスと比較する構成を採用することもできる。また、検知回路６２は、検査信号を検出するフィルタと、このフィルタの出力を整流平滑する回路と、この整流平滑出力を基準信号と比較する構成とすることもできる。検知回路６４にも同様な構成を採用することもできる。また、上記の先の実施の形態では、第１及び第２の検査信号を使用したが、いずれか一方の検査信号のみを使用することもできる。上記の各実施の形態では、共通電位点として接地電位点を用いたが、例えば端末装置２０から共通電位点用のライン、例えばシールドラインを判定装置８まで敷設し、判定装置８の共通電位点と接続してもよい。また、上記の先の実施の形態では、第１の検査信号を使用したが、その使用を中止して、例えばマイクロホン４からの音声信号を検出回路２６で検出するように構成することもできる。
【図面の簡単な説明】
【００５３】
【図１】本発明の１実施形態の検査装置を使用した拡声装置のブロック図である。
【図２】図１の検査装置において使用する端末装置の回路図である。
【図３】図１の検査装置の変形例の一部を示すブロック図である。
【図４】本発明の他の実施形態の検査装置を使用した拡声装置のブロック図である。
【図５】図１の検査装置の別の変形例のブロック図である。
【符号の説明】
【００５４】
２  電力増幅器
１０  ホットライン（第１のスピーカライン）
１２  コールドライン（第２のスピーカライン）
１４  スピーカ
２２  抵抗器（インピーダンス素子）
２４  スイッチング素子
２６  検出回路
４４  抵抗器（第１の判定手段）
４６  比較器（第１の判定手段）
４８  基準電源（第１の判定手段）
【図１】
0004493564.tif 000002
【図２】
0004493564.tif 000003
【図３】
0004493564.tif 000004
【図４】
0004493564.tif 000005
【図５】
0004493564.tif 000006